(57)【要約】【課題】支柱の高さ調節を容易に行ない得る衣料掛けを提供する。【解決手段】所要間隔離間して並列配置された脚部２２の上面に、高さ調節可能に構成された支柱２４が夫々立設される。両支柱２４,２４の上端には、水平方向に延在する掛止バー２６が架設される。支柱２４は、上下方向に所要長さで延在する中空状の第１支柱部３０および第２支柱部３２から別体的に構成される。第１支柱部３０は、上方開口端部に固定手段３６が配設されると共に、下方側が接続体２８を介して脚部２２に接続される。また第２支柱部３２は、第１支柱部３０の上方開口端部から伸縮自在に嵌合される。更に、固定手段３６は、開放位置にあって第１支柱部３０の上方開口端部を開放させて第２支柱部３２の伸縮を許容すると共に、固定位置にあって上方開口端部の開口寸法を縮径して第２支柱部３２を所定位置で固定するレバー状固定具７０を有している。【選択図】図１
0003128580.tif 000002
【実用新案登録請求の範囲】
【請求項１】
所要間隔離間して並列配置された脚部(22)に、高さ調節可能な支柱(24)を夫々立設すると共に、両支柱(24,24)に衣料掛止部(26)を架設するよう構成された衣料掛けにおいて、
前記支柱(24)は、
前記脚部(22)に固定され上方に開口する中空状の第１支柱部(30)と、
前記第１支持部(30)の上方開口端部(30a)に挿入され、上端側に前記衣料掛止部(26)が固定される第２支柱部(32)と、
前記第１支柱部(30)に設けられ、該第１支柱部(30)の上方開口端部(30a)を縮径させて前記第２支柱部(32)を所定位置に固定する固定位置および該上方開口端部(30a)を開放して第２支柱部(32)の伸縮を許容する固定解除位置に変移可能なレバー状の固定手段(36)とを備えている
ことを特徴とする衣料掛け。
【請求項２】
上下に所要長さを有する断面円形状に形成した接続体(28)の下端に前記脚部(22)の外形寸法と同一に設定された半円弧状のフランジ(62)を配設し、
前記フランジ(62)と同一径に設定された半円弧状の金具(64)を、前記脚部(22)を挟んだ位置に配設し、
前記第１支柱部(30)の下方開口端部(30b)における径寸法を、前記接続体(28)における上側の開口端部と嵌合し得る寸法に設定し、
前記フランジ(62)および金具(64)を介して前記脚部(22)を挟持し、更に前記第１支柱部(30)および接続体(28)を相互に嵌合させた後に、脚部(22)の外側面から接続部材(66)を挿入螺合することにより、該第１支柱部(30)および脚部(22)を相互に接続固定するようにした請求項１記載の衣料掛け。
【考案の詳細な説明】
【技術分野】
【０００１】
この考案は、衣料掛けに関するものであり、更に詳細には、伸縮自在に構成された支柱の上端に衣料掛止部が架設された衣料掛けに関するものである。
【背景技術】
【０００２】
例えば、一般家庭内で衣料等を掛止するために使用されるものとして、パイプ状のフレームを組付けて所謂門型に形成された衣料掛けがある。このような衣料掛けとしては、その用途や設置場所等に合わせて様々なタイプのものが提案されているが、一般的には、所要間隔離間して並列配置された脚部からスチールパイプ等の支柱を立設すると共に、両支柱の上端部に水平方向に延在する棒状の掛止バー(衣料掛止部)を架設して、この掛止バーに衣料を掛け得るよう構成されたものが多い。図６は、このような衣料掛けにおける支柱１０を拡大して示した図である。前記支柱１０は、図示しない脚部に固定された中空状の第１支柱部１２と、該第１支柱部１２に伸縮自在に嵌合される第２支柱部１４とからなり、衣料の丈に応じて第２支柱部１４を伸縮させて掛止バーの高さ調節をなし得るようになっている。
【０００３】
また、前記各第１支柱部１２の端部１２ａには、第１支柱部１２の内部に先端が臨むネジ部１６を備えた固定手段１８が設けられており、該固定手段１８を一方向(固定方向)に回転させることで、ネジ部１６の先端が第２支柱部１４に押し付けられて、該第２支柱部１４を固定するようになっている。また、前記固定手段１８を他方向(開放方向)に回転させれば、ネジ部１６の先端が第２支柱部１４から離脱し、該第２支柱部１４の伸縮が許容される。
【特許文献１】実用新案登録第３０２６３８９号
【考案の開示】
【考案が解決しようとする課題】
【０００４】
このように、従来の衣料掛けでは、掛止バーの高さ位置を変更するに際し、第１支柱部１２に設けた固定手段１８を開放方向へ回転させて第２支柱部１４を伸縮自在とし、該第２支柱部１４を所望の位置まで伸縮させた後、固定手段１８を固定方向へ回転させると云った作業が要求される。しかしながら、支柱１０の高さ調節をする度に、離間して位置する一対の支柱１０に配設された固定手段１８を操作して、両支柱１０の高さを揃えるのは、非常に繁雑である。また、前記掛止バー２６を水平姿勢に保持するため、ネジ部１６を片手で操作しなければならない場合も生じ、作業者にとって困難なものであった。
【０００５】
そこで本考案は、前述した従来技術に内在している前記課題に鑑み、これを好適に解決するべく提案されたものであって、支柱の高さ調節を容易に行ない得る衣料掛けを提供することを目的とする。
【課題を解決するための手段】
【０００６】
前記課題を克服し、所期の目的を達成するため、本考案に係る衣料掛けは、
所要間隔離間して並列配置された脚部に、高さ調節可能な支柱を夫々立設すると共に、両支柱に衣料掛止部を架設するよう構成された衣料掛けにおいて、
前記支柱は、
前記脚部に固定され上方に開口する中空状の第１支柱部と、
前記第１支持部の上方開口端部に挿入され、上端側に前記衣料掛止部が固定される第２支柱部と、
前記第１支柱部に設けられ、該第１支柱部の上方開口端部を縮径させて前記第２支柱部を所定位置に固定する固定位置および該上方開口端部を開放して第２支柱部の伸縮を許容する固定解除位置に変移可能なレバー状固定手段とを備えていることを特徴とする。
請求項１の考案によれば、レバー状固定手段を回動操作するだけで第２支柱部を伸縮し得るので、衣料掛止部の高さ調節を容易に行なうことができる。
【０００７】
請求項２に係る衣料掛けでは、上下に所要長さを有する断面円形状に形成した接続体の下端に前記脚部の外形寸法と同一に設定された半円弧状のフランジを配設し、
前記フランジと同一径に設定された半円弧状の金具を、前記脚部を挟んだ位置に配設し、
前記第１支柱部の下方開口端部における径寸法を、前記接続体における上側の開口端部と嵌合し得る寸法に設定し、
前記フランジおよび金具を介して前記脚部を挟持し、更に前記第１支柱部および接続体を相互に嵌合させた後に、脚部の外側面から接続部材を挿入螺合することにより、該第１支柱部および脚部を相互に接続固定するようにした。
請求項２の考案によれば、フランジおよび金具により脚部を挟持し、また第１支柱部の下方開口端部を接続体の開口端部に嵌合させて、該脚部および第１支柱部を接続するようにしたので、両部材の接続強度を向上させることができる。従って、重量の嵩む衣料を複数掛止めしたり、あるいは衣料を掛けた状態で移動させるような場合であっても、ガタ付きが生じ難くなり、長期使用に十分耐えることができる。
【考案の効果】
【０００８】
本考案に係る衣料掛けによれば、支柱の高さ調節を容易に行ない得る。
【考案を実施するための最良の形態】
【０００９】
次に、本考案に係る衣料掛けにつき、好適な実施例を挙げて、添付図面を参照しながら以下説明する。
【実施例】
【００１０】
実施例に係る衣料掛けは、図１に示すように、一対の脚部２２,２２が所要間隔離間して平行に配置され、各脚部２２の長手方向中央位置から支柱２４が垂直に立設されている。両支柱２４,２４の上端には、衣料を掛止めるための掛止バー(衣料掛止部)２６が水平に架設される。前記支柱２４は、スチール等を中空パイプ状に成形したものであって、前記脚部２２に接続体２８を介して接続される第１支柱部３０と、該第１支柱部３０内に摺動自在に挿入される第２支柱部３２とから構成されている。図２に示すように、第１支柱部３０には、上側の端部(上方開口端部３０ａ)から上下方向に延在するスリット３４が形成される共に、第２支柱部３２を固定する固定手段３６が該上方開口端部３０ａに配設されている。また、図４および図５に示すように、第１支柱部３０の下側の端部(下方開口端部３０ｂ)は、一段小さな外形寸法で所要長さ延在しており、該下方開口端部３０ｂの開口部は、中心部に雌ネジ部３８ａを設けた蓋部材３８により閉塞されている。
【００１１】
前記第２支柱部３２は、全体が第１支柱部３０の内径より僅かに小さな外径寸法に設定され、第１支柱部３０内に挿入した際に、第２支柱部３２は上下に伸縮し得るよう構成される。また、図１に示す如く、第２支柱部３２の上端は、ネジ４０を介して前記掛止バー２６に接続してある。すなわち、第１支柱部３０の上方開口端部３０ａから延出する前記第２支柱部３２の長さ寸法により、衣料掛止バー２６の高さ位置が規定されている。
【００１２】
前記固定手段３６は、図２および図３に示すように、第１支柱部３０の上方開口端部３０ａに一体成形された締付部４２と、該上方開口端部３０ａを強制的に縮径して、第２支柱部３２を固定するレバー状固定具７０とから構成される。前記締付部４２は、第１支柱部３０の上方開口端部３０ａに整合する開口を有するリング状に形成され、第１支柱部３０のスリット３４と上下に整合する箇所に、切欠き５２が上下方向に設けられている。また、締付部４２には、切欠き５２を挟む位置に一対の取付片５４,５４が対向して設けられ、各取付片５４の略中央に通孔５４ａが開設されている。
【００１３】
前記レバー状固定具７０は、取付片５４,５４の通孔５４ａ,５４ａに挿通され、一方の端部に雄ネジ部４４ａを形成した棒状部４４と、該棒状部４４の他方端に枢支されるレバー５０と、該雄ネジ部４４ａに螺合する位置決め部４６と、レバー５０および位置決め部４６の間に介挿される押圧部４８とを備えている。すなわち、押圧部４８に形成した貫通孔４８ａが棒状部４４を挿通されて、押圧部４８が棒状部４４に沿って摺動するようになっている。また、位置決め部４６は、前記棒状部４４を貫通するよう形成されており、雄ネジ部４４ａに対するネジ込み量に応じて、棒状部４４に対して位置決め部４６を移動させ得るようになっている。ここで、レバー状固定具７０は、押圧部４８と位置決め部４６との間に、取付片５４,５４が位置するよう締付部４２に組付けられ、取付片５４,５４を押圧部４８および位置決め部４６により挟持する姿勢に保持される。すなわち、この位置決め部４６は、棒状部４４が取付片５４,５４の通孔５４ａ,５４ａから抜けるのを防止すると共に、締付部４２の締付強度を調整し得るよう構成される。
【００１４】
前記レバー５０の一端部を構成して棒状部４４と枢支される枢支部５８は、円形状に形成されて、該枢支部５８の中心から偏倚した位置で棒状部４４と枢支されている。すなわち、レバー５０の枢支部５８は偏心カムの如く機能し、レバー５０が回動することで位置決め部４６と枢支部５８との離間距離が変化し、これにより、前記押圧部４８が位置決め部４６(取付片５４,５４)に対して近接または離間移動する。従って、レバー５０の枢支部５８と、位置決め部４６とが最も離間する開放位置(図３の２点鎖線で示す固定解除位置)では、締付部４２が縮径されず、第１支柱部３０に沿った第２支柱部３２の移動が許容されるようになっている。一方、レバー５０(枢支部５８)と位置決め部４６とが最も近接する固定位置(図３の実線で示す)では、枢支部５８により押圧部４８が位置決め部４６側へ移動し、両取付片５４,５４が近接する方向に押圧される。これにより、前記締付部４２が締め付けられて第１支柱部３０の開口寸法が縮径し、前記第２支柱部３２が固定されるよう構成される。なお、前記スリット３４および切欠き５２を形成したことで、締付部４２および第１支柱部３０が変形し、第１支柱部３０の開口寸法が縮径する。
【００１５】
衣料掛け２０を支持する各脚部２２は、前記支柱２４と同様に、所要長さのパイプ状に形成され、その両端部の下面にキャスター６０,６０が取付けられている。そして、図４に示すように、この脚部２２と支柱２４の第１支柱部３０とは、独立の部材として構成される接続体２８を介して接続される。前記接続体２８は、第１支柱部３０よりも十分に短い寸法に設定された断面円形状の管体であって、該接続体２８の下端部にフランジ６２が固着されている。接続体２８の内径寸法は、前記第１支柱部３０における下側の端部(下方開口端部３０ｂ)の外径と略一致しており、該下方開口端部３０ｂが接続体２８に嵌合するようになっている。また、フランジ６２は、前記脚部２２の外径寸法と略同一に湾曲成形された半円弧状の部材であり、フランジ６２の裏面が脚部２２の外面に当接するようになっている。
【００１６】
前記脚部２２の裏面には、該脚部２２の外径寸法と略同一に湾曲成形された半円弧状の金具６４が配設される。このフランジ６２および金具６４には、図５に示すように、ネジ(接続部材)６６の雄ネジ部６６ａの通過を許容する通孔６２ａ,６４ａが開設されると共に、前記脚部２２に、両通孔６２ａ,６４ａに対応する通孔２２ａ,２２ａが穿設されている。そして前記脚部２２は、フランジ６２および金具６４に上下の関係で挟持された状態で、前記接続体２８を介して第１支柱部３０に接続されるようになっている。なお、図１に示すように、両脚部２２,２２に設けられた一対の接続体２８,２８は、横フレーム６８により接続されており、衣料掛け２０の強度向上が図られている。
【００１７】
(実施例の作用)
次に、実施例に係る衣料掛けの作用について説明する。衣料掛け２０を組み立てる際には、先ず、各脚部２２と支柱２４(第１支柱部３０)とを接続する。図４および図５に示す如く、脚部２２の上下面を前記フランジ６２および金具６４で挟んだ後、接続体２８に対して第１支柱部３０を挿入嵌合させる。そして、金具６４の下方外側面から通孔６４ａを介してネジ６６を挿入した後、前記脚部２２の通孔２２ａ,２２ａおよびフランジ６２の通孔６２ａを貫通させ、ネジ６６の雄ネジ部６６ａを、第１支柱部３０の下端に設けられた蓋部材３８の雌ネジ部３８ａに螺合させることによって、脚部２２および第１支柱部３０が相互に接続固定される。これにより、脚部２２と接続体２８との当接面が、フランジ６２および金具６４によって確保され、接続強度が向上される。
【００１８】
次に、前記レバー５０を開放位置にしたもとで、前記第１支柱部３０の上方開口端部３０ａから第２支柱部３２を挿入嵌合する。そして、第２支柱部３２を所定長さまで第１支柱部３０内に挿入し、前記レバー５０を固定位置まで回動させて第２支柱部３２を固定する。更に、前記掛止バー２６を両第２支柱部３２,３２の上端にネジ４０,４０を介して固定すると共に、各脚部２２にキャスター６０,６０を取付けて、衣料掛け２０が完成する。
【００１９】
また、衣料掛け２０の高さ調節を行なう場合には、レバー５０を操作することで、支柱２４の高さを変更すればよい。すなわち、例えば、丈の長い衣料を掛ける必要がある場合には、図３の２点鎖線に示す如く、両支柱２４,２４に設けられた各レバー５０を開放位置に回動させる。これにより、前記押圧部４８による取付片５４に対する押圧が解除され、前記締付部４２が開放して第２支柱部３２の伸縮が許容される。そして、前記第２支柱部３２を所定位置まで引き出した後に、再度、前記レバー５０を固定位置(図３の実線参照)まで回動させる。これにより、前記押圧部４８および位置決め部４６に挟まれた取付片５４,５４が近接し、締付部４２が第１支柱部３０の開口寸法を縮径させて前記第２支柱部３２が固定される。
【００２０】
以上に示したように、実施例に係る衣料掛け２０によれば、レバー５０の回動操作により支柱２４の高さ調節を容易に行なうことが可能となる。また、前記支柱２４は、接続体２８に嵌合状態で支持されると共に、前記脚部２２は、フランジ６２および金具６４を介して挟持されるため、脚部２２および支柱２４の接続強度を向上させることができる。従って、重量の嵩む衣料を複数掛止したり、あるいは衣料を掛けた状態で移動させるような場合であっても、衣料掛け２０が容易にガタ付くことはなく、しかも長期間の使用に十分耐えることができる等の利点を有する。
【図面の簡単な説明】
【００２１】
【図１】実施例に係る衣料掛けを示す全体斜視図である。
【図２】実施例に係る固定部材を示す分解斜視図である。
【図３】実施例に係る固定部材を示す拡大斜視図である。
【図４】脚部および第１支柱部の接続構造を示す分解斜視図である。
【図５】脚部および第１支柱部の接続構造を示す拡大断面図である。
【図６】従来の衣料掛けにおいて採用されている高さ調節機構を示す拡大斜視図である。
【符号の説明】
【００２２】
２２ 脚部，２４ 支柱，２６掛止バー(衣料掛止部)，２８ 接続体
３０ 第１支柱部，３０ａ 上方開口端部，３０ｂ 下方開口端部
３２ 第２支柱部，３６ レバー状の固定手段，５０ レバー，６２ フランジ
６４ 金具，６６ ネジ(接続部材)
【図１】
0003128580.tif 000003
【図２】
0003128580.tif 000004
【図３】
0003128580.tif 000005
【図４】
0003128580.tif 000006
【図５】
0003128580.tif 000007
【図６】
0003128580.tif 000008